(57)【要約】【課題】放熱体の加工やＬＥＤ基板の形状を簡素化して、コストダウンを図り、また、ＬＥＤを容易に破損させないこと。【解決手段】放熱体３０と、ＬＥＤ５１とこのＬＥＤ５１を実装しているＬＥＤ基板５０とで放熱体ユニット３を形成する。放熱体ユニット３のＬＥＤ基板５０側は斜め下方に傾斜させ、放熱体ユニット３の前面やＬＥＤ基板５０は平面状としている。カバー６０にはＬＥＤ５１を露出させる開口部６１が穿設されている。開口部６１の周縁には外側方に拡開する凹部６２を形成している。開口部６１の厚みは開口部６１の厚みより薄く形成し、ＬＥＤ５１の頭部はカバー６０の表面より非突出としている。凹部６２の開口縁の下縁部分は下方に至るほど大きく延びるようにしている。【選択図】図１
2015084299.tif 000002
【特許請求の範囲】
【請求項１】
ＬＥＤ（５１）からの熱を外部へ放散させる放熱体（３０）の前面に前記ＬＥＤ（５１）を実装したＬＥＤ基板（５０）を配設し、
前記ＬＥＤ基板（５０）の前面側にカバー（６０）を配設し、
前記カバー（６０）に前記ＬＥＤ（５１）の頭部を露出させる開口部（６１）を穿設し、
前記開口部（６１）の厚みは前記カバー（６０）の厚みより小さくしており、
前記カバー（６０）の開口部（６１）を介して露出している前記ＬＥＤ（５１）の頭部は前記カバー（６０）の前面よりは突出させていない
ことを特徴とするＬＥＤ照明器具。
【請求項２】
前記カバー（６０）の開口部（６１）の前面側の周縁より外側方に至るほど拡開する凹部（６２）を形成していることを特徴とする請求項１に記載のＬＥＤ照明器具。
【請求項３】
前記カバー（６０）の凹部（６２）の前面側の開口縁の下縁部分が下方に至るほど延びていることを特徴とする請求項２に記載のＬＥＤ照明器具。
【請求項４】
前記カバー（６０）の凹部（６２）の前面側の開口縁の左右部分が左右に至るほど延びていることを特徴とする請求項２に記載のＬＥＤ照明器具。
【請求項５】
前記カバー（６０）の凹部（６２）の前面側の開口縁の下縁部分が下方に至るほど延びた略楕円形状にしていることを特徴とする請求項３に記載のＬＥＤ照明器具。
【請求項６】
前記カバー（６０）の凹部（６２）の内壁面は鏡面仕上げにしていることを特徴とする請求項２〜請求項５のいずれかに記載のＬＥＤ照明器具。
【請求項７】
前記カバー（６０）の色彩を白色系としていることを特徴とする請求項２〜請求項６のいずれかに記載のＬＥＤ照明器具。
【請求項８】
前記放熱体（３０）の前面側は平面状に形成されており、該平面状に形成されている前面板（３２）の前面に平板状とした前記ＬＥＤ基板（５０）を配設し、該ＬＥＤ基板（５０）の前面側に略平板状の前記カバー（６０）を配設していることを特徴とする請求項１〜請求項７のいずれかに記載のＬＥＤ照明器具。
【請求項９】
前記ＬＥＤ基板（５０）には上下方向に複数のＬＥＤ（５１）が実装されており、前記ＬＥＤ（５１）に対応した前記凹部（６２）の開口縁の下縁部分は、下方に至るほど順次大きく延びるようにしていることを特徴とする請求項８に記載のＬＥＤ照明器具。
【請求項１０】
前記放熱体（３０）と、前記ＬＥＤ（５１）及び前記ＬＥＤ基板（５０）とで放熱体ユニット（３）を形成し、
前記放熱体ユニット（３）を複数個周設し、
前記各放熱体ユニット（３）のＬＥＤ基板（５０）は斜め下方に傾斜させていることを特徴とする請求項９に記載のＬＥＤ照明器具。
【請求項１１】
周設されている前記複数個の放熱体ユニット（３）の下面側にはＬＥＤ（５１）を実装した基板（７５）を配設していることを特徴とする請求項１０に記載のＬＥＤ照明器具。
【発明の詳細な説明】
【技術分野】
【０００１】
本発明は、光源に発光ダイオード（ＬＥＤ）を用いたＬＥＤ照明器具に関するものである。
【背景技術】
【０００２】
最近、市場には省エネルギー化、長寿命化を目的として光源にＬＥＤを用いた照明器具が多数提供されている。ＬＥＤを用いた照明器具としては、例えば、下記に示す特許文献１が挙げられる。
【先行技術文献】
【特許文献】
【０００３】
【特許文献１】特開２０１２−１６０２６８号公報
【０００４】
上記特許文献１は、ケース本体の外周部にフィン状の放熱フィンを所定の間隔毎に放射状に設けている。そして、ケース本体の内部に多数のＬＥＤを実装した基板を水平状に配置しており、基板の下面に上記ＬＥＤを実装してＬＥＤから下方に向けて照射している。
【０００５】
しかしながら、下方への照射ではなく、照明器具の周囲（全方位）にも照射したい要求がある。かかる場合、放熱フィンの外面にＬＥＤを配置する必要があり、ＬＥＤを放熱フィンの外周面に配置するには様々な工夫を要する。
【０００６】
そこで、本出願人は、以下に挙げる特許文献２を出願した。
【０００７】
【特許文献２】特願２０１３−４１５１
【０００８】
図２７は従来例の照明器具本体１０１の正面図を示し、図２８は、図２７のＡ−Ａ断面図を示し、図２９は斜め下から見た照明器具本体１０１の斜視図を、図３０は斜め下から見た照明器具本体１０１の斜視図をそれぞれ示している。
【０００９】
この照明器具本体１０１は、下部に口金１０２を備えた支持体１０３と、この支持体１０３の上面の周縁に配置される複数の放熱体ユニット１０４と、この放熱体ユニット１０４の内側に位置して各放熱体ユニット１０４の上部をネジ止めして該放熱体ユニット１０４を固定するリング円板状の支持固定板１０５とで構成されている。
【００１０】
合成樹脂製の支持体１０３の上面側には、例えば８個の放熱体ユニット１０４が周設されており、この放熱体ユニット１０４は、図３１及び図３２に示す放熱体１１０と、図３３に示すＬＥＤ基板１２０とで構成されている。
照明器具本体１０１は、下方且つ全方位に向けてＬＥＤからの光を照射するようになっており、そのため、放熱体１１０及びＬＥＤ基板１２０に工夫をしている。
【００１１】
すなわち、図３１及び図３２に示すように、放熱体１１０の前面側の前面板１１１は、略ジグザグ状に折曲されていて、この前面板１１１の表面に略ジグザグ状に折曲したＬＥＤ基板１２０がネジ止めされるようになっている。
前面板１１１には、例えば５つのＬＥＤ配置部１１２が形成されており、前面板１１１にＬＥＤ基板１２０を配設した場合に、ＬＥＤ１２１がＬＥＤ配置部１１２に位置するようになっている。
【００１２】
放熱体１１０の前面板１１１の略ジグザグ状の折曲角度（傾斜角度）と、ＬＥＤ基板１２０の略ジグザグ状の折曲角度（傾斜角度）とは、同じ角度に折曲されている。そして、図２８に示すように、ＬＥＤ基板１２０を放熱体１１０の前面板１１１の表面に配設した場合は、ＬＥＤ基板１２０の背面が前面板１１１の表面にほぼ密着した状態でネジ止めされて、ＬＥＤ基板１２０からの熱を放熱体１１０を介して放熱するようになっている。
【００１３】
図２８に示すように、前面板１１１のＬＥＤ配置部１１２及びＬＥＤ基板１２０の各ＬＥＤ１２１の部分は、それぞれ異なる傾斜角度を持ち、上方に至るほどＬＥＤ配置部１１２の傾斜角度を大きくしている。
例えば、一番下のＬＥＤ配置部１１２の角度は、３８°であり、その上のＬＥＤ配置部１１２の角度は、４６°である。そして、順次５４°、６２°、７０°とし、一番下のＬＥＤ１２１は主に下方を照射、上に位置するＬＥＤ１２１ほど側方へ照射するようにして、ＬＥＤ１２１からの光が遠くまで照射するようにしている。
【発明の概要】
【発明が解決しようとする課題】
【００１４】
しかしながら、従来では、放熱体１１０の形状や、前面板１１１をジグザグ状に形成したり、またＬＥＤ基板１２０もジグザグ状に形成しているために、加工に時間がかかると共に、コストアップになるという問題があった。
また、ＬＥＤ１２１自体が外部に露出しているために、手で接触した場合や、他の部材が接触した場合に、ＬＥＤ１２１を破損させる恐れがあった。
【００１５】
本発明は上述の問題点に鑑みて提供したものであって、少なくとも以下の目的を持ったＬＥＤ照明器具を提供するものである。
（１）放熱体の加工やＬＥＤ基板の形状を簡素化して、コストダウンを図ること。
（２）ＬＥＤを容易に破損させないこと。
（３）ＬＥＤからの下方への照射や反射を行なわしめて下方への光を明るく照らすことができるようにすること。
【課題を解決するための手段】
【００１６】
そこで、本発明の請求項１に記載のＬＥＤ照明器具では、ＬＥＤ５１からの熱を外部へ放散させる放熱体３０の前面に前記ＬＥＤ５１を実装したＬＥＤ基板５０を配設し、前記ＬＥＤ基板５０の前面側にカバー６０を配設し、前記カバー６０に前記ＬＥＤ５１の頭部を露出させる開口部６１を穿設し、前記開口部６１の厚みは前記カバー６０の厚みより小さくしており、前記カバー６０の開口部６１を介して露出している前記ＬＥＤ５１の頭部は前記カバー６０の前面よりは突出させていないことを特徴としている。
【００１７】
請求項２に記載のＬＥＤ照明器具では、前記カバー６０の開口部６１の前面側の周縁より外側方に至るほど拡開する凹部６２を形成していることを特徴としている。
【００１８】
請求項３に記載のＬＥＤ照明器具では、前記カバー６０の凹部６２の前面側の開口縁の下縁部分が下方に至るほど延びていることを特徴としている。
【００１９】
請求項４に記載のＬＥＤ照明器具では、前記カバー６０の凹部６２の前面側の開口縁の左右部分が左右に至るほど延びていることを特徴としている。
【００２０】
請求項５に記載のＬＥＤ照明器具では、前記カバー６０の凹部６２の前面側の開口縁の下縁部分が下方に至るほど延びた略楕円形状にしていることを特徴としている。
【００２１】
請求項６に記載のＬＥＤ照明器具では、前記カバー６０の凹部６２の内壁面は鏡面仕上げにしていることを特徴としている。
【００２２】
請求項７に記載のＬＥＤ照明器具では、前記カバー６０の色彩を白色系としていることを特徴としている。
【００２３】
請求項８に記載のＬＥＤ照明器具では、前記放熱体３０の前面側は平面状に形成されており、該平面状に形成されている前面板３２の前面に平板状とした前記ＬＥＤ基板５０を配設し、該ＬＥＤ基板５０の前面側に略平板状の前記カバー６０を配設していることを特徴としている。
【００２４】
請求項９に記載のＬＥＤ照明器具では、前記ＬＥＤ基板５０には上下方向に複数のＬＥＤ５１が実装されており、前記ＬＥＤ５１に対応した前記凹部６２の開口縁の下縁部分は、下方に至るほど順次大きく延びるようにしていることを特徴としている。
【００２５】
請求項１０に記載のＬＥＤ照明器具では、前記放熱体３０と、前記ＬＥＤ５１及び前記ＬＥＤ基板５０とで放熱体ユニット３を形成し、前記放熱体ユニット３を複数個周設し、前記各放熱体ユニット３のＬＥＤ基板５０は斜め下方に傾斜させていることを特徴としている。
【００２６】
請求項１１に記載のＬＥＤ照明器具では、周設されている前記複数個の放熱体ユニット３の下面側にはＬＥＤ５１を実装した基板７５を配設していることを特徴としている。
【発明の効果】
【００２７】
本発明の請求項１に記載のＬＥＤ照明器具によれば、ＬＥＤ基板５０の前面側にカバー６０を配設し、前記カバー６０に前記ＬＥＤ５１の頭部を露出させる開口部６１を穿設し、前記開口部６１の厚みは前記カバー６０の厚みより小さくしており、前記カバー６０の開口部６１を介して露出している前記ＬＥＤ５１の頭部は前記カバー６０の前面よりは突出させていないようにしているので、ＬＥＤ基板５０のＬＥＤ５１自体が開口部６１を介して外部に露出していても、ＬＥＤ５１の頭部はカバー６０の表面以上には突出しないために、カバー６０の表面に手で接触したり、他の部材がカバー６０の表面に面的に接触しても、ＬＥＤ５１が破損するのを防止することができる。
【００２８】
請求項２に記載のＬＥＤ照明器具によれば、前記カバー６０の開口部６１の前面側の周縁より外側方に至るほど拡開する凹部６２を形成していることで、この凹部６２の内壁面をＬＥＤ５１からの光を反射させる反射面として利用しているものであり、これにより、ＬＥＤ５１からの光を凹部６２の内壁面にて効率良く反射させることができ、照明器具本体１からの光を遠くまで照射させることができたり、また、照射範囲を広げることができる。
【００２９】
請求項３に記載のＬＥＤ照明器具によれば、前記カバー６０の凹部６２の前面側の開口縁の下縁部分が下方に至るほど延びていることで、凹部６２の中心より下方の内壁面の面積を大きくとることができ、この凹部６２の内壁面をＬＥＤ５１からの反射面として利用でき、これにより、反射面を大きくできて光を効率良く反射させることができる。
【００３０】
請求項４に記載のＬＥＤ照明器具によれば、前記カバー６０の凹部６２の前面側の開口縁の左右部分が左右に至るほど延びていることで、反射面を大きくすることができで、ＬＥＤ５１からの光を左右方向に広く照射させることができる。
【００３１】
請求項５に記載のＬＥＤ照明器具によれば、前記カバー６０の凹部６２の前面側の開口縁の下縁部分が下方に至るほど延びた略楕円形状にしているので、下方へのＬＥＤ５１からの直接光や反射をさせることができて、下方に照射させる照度を上げることができ、下方を一層明るく照らすことができる。
【００３２】
請求項６に記載のＬＥＤ照明器具によれば、前記カバー６０の凹部６２の内壁面は鏡面仕上げにしていることで、ＬＥＤ５１からの光を鏡面仕上げの内壁面にて効率良く反射させることができる。
【００３３】
請求項７に記載のＬＥＤ照明器具によれば、前記カバー６０の色彩を白色系としていることで、下方へのＬＥＤ５１からの直接光や反射をさせることができて、下方に照射させる照度を上げることができ、下方を一層明るく照らすことができる。
【００３４】
請求項８に記載のＬＥＤ照明器具によれば、前記放熱体３０の前面側は平面状に形成されており、該平面状に形成されている前面板３２の前面に平板状とした前記ＬＥＤ基板５０を配設し、該ＬＥＤ基板５０の前面側に略平板状の前記カバー６０を配設しているので、従来のジグザク状の放熱体やＬＥＤ基板とは異なり、形状を簡素化でき、加工に伴う時間や工程を少なくでき、結果としてコストダウンを図ることができる。
【００３５】
請求項９に記載のＬＥＤ照明器具によれば、前記ＬＥＤ基板５０には上下方向に複数のＬＥＤ５１が実装されており、前記ＬＥＤ５１に対応した前記凹部６２の開口縁の下縁部分は、下方に至るほど順次大きく延びるようにしているので、下方へのＬＥＤ５１からの直接光や反射をさせることができて、下方に照射させる照度を上げることができ、下方を一層明るく照らすことができる。
【００３６】
請求項１０に記載のＬＥＤ照明器具によれば、前記放熱体３０と、前記ＬＥＤ５１及び前記ＬＥＤ基板５０とで放熱体ユニット３を形成し、前記放熱体ユニット３を複数個周設し、前記各放熱体ユニット３のＬＥＤ基板５０は斜め下方に傾斜させていることで、全方位及び下方へＬＥＤ５１からの光を満遍なく照射することができ、特に、カバー６０の凹部６２の内壁面により下方への光を一層明るく照らすことができる。
【００３７】
請求項１１に記載のＬＥＤ照明器具によれば、周設されている前記複数個の放熱体ユニット３の下面側にはＬＥＤ５１を実装した基板７５を配設していることで、全方位及び下方へのＬＥＤ５１からの照射はもちろん、照明器具本体１の下面に配置したＬＥＤ５１が真下に照射するので、照明器具本体１の真下を一層明るく照らすことができる。
【図面の簡単な説明】
【００３８】
【図１】本発明の第１の実施の形態における照明器具本体の正面図である。
【図２】本発明の第１の実施の形態における照明器具本体の平面図である。
【図３】本発明の第１の実施の形態における照明器具本体の底面図である。
【図４】本発明の第１の実施の形態における照明器具本体の側面図である。
【図５】本発明の第１の実施の形態における図１のＡ−Ａ断面図である。
【図６】本発明の第１の実施の形態における斜め下から見た照明器具本体の斜視図である。
【図７】本発明の第１の実施の形態における斜め上から見た照明器具本体の斜視図である。
【図８】（ａ）（ｂ）は本発明の第１の実施の形態における支持体の平面図及び正面図である。
【図９】（ａ）（ｂ）は本発明の第１の実施の形態における上部支持固定板の平面図及び正面図である。
【図１０】本発明の第１の実施の形態における下部支持固定板の平面図である。
【図１１】本発明の第１の実施の形態における放熱体の斜視図である。
【図１２】（ａ）は本発明の第１の実施の形態における放熱体の正面図、（ｂ）は放熱体の平面図、（ｃ）は放熱体の底面図、（ｄ）は放熱体の側面図、（ｅ）は（ａ）のＡ−Ａ断面図である。
【図１３】本発明の第１の実施の形態における放熱体の背面図である。
【図１４】（ａ）（ｂ）は本発明の第１の実施の形態におけるＬＥＤ基板の平面図及び正面図である。
【図１５】本発明の第１の実施の形態におけるＬＥＤ基板の斜視図である。
【図１６】本発明の第１の実施の形態におけるカバーの斜視図である。
【図１７】（ａ）は本発明の第１の実施の形態におけるカバーの正面図、（ｂ）はカバーの平面図、（ｃ）はカバーの側面図、（ｄ）はカバーの背面図である。
【図１８】本発明の第１の実施の形態における図１７（ａ）のＡ−Ａ断面図である。
【図１９】本発明の第１の実施の形態における放熱体にＬＥＤ基板及びカバーを装着する場合の説明図である。
【図２０】本発明の第２の実施の形態における照明器具本体の正面図である。
【図２１】本発明の第２の実施の形態における照明器具本体の側面図である。
【図２２】本発明の第２の実施の形態における照明器具本体の平面図である。
【図２３】本発明の第２の実施の形態における照明器具本体の底面図である。
【図２４】本発明の第２の実施の形態における図２０のＡ−Ａ断面図である。
【図２５】本発明の第２の実施の形態における斜め上から見た照明器具本体の斜視図である。
【図２６】本発明の第２の実施の形態における斜め下から見た照明器具本体の斜視図である。
【図２７】従来例の照明器具本体の正面図である。
【図２８】従来例の図２７のＡ−Ａ断面図である。
【図２９】従来例の斜め下から見た照明器具本体の斜視図である。
【図３０】従来例の斜め上から見た照明器具本体の斜視図である。
【図３１】従来例の斜め上から見た放熱体の斜視図である。
【図３２】従来例の斜め下から見た放熱体の斜視図である。
【図３３】従来例のＬＥＤ基板の斜視図である。
【発明を実施するための形態】
【００３９】
（第１の実施の形態）
以下、本発明の第１の実施の形態を図面を参照して詳細に説明する。図１は本発明の照明器具本体１の正面図を示し、図２は照明器具本体１の平面図を、図３は照明器具本体１の底面図をそれぞれ示している。また、図４は図１の左方から見た照明器具本体１の側面図を示している。なお、図１の右方から見た場合でも図４と同じ状態に見える。
【００４０】
また、図５は図１のＡ−Ａ断面図を示し、図６は斜め下から見た照明器具本体１の斜視図を、図７は斜め上から見た照明器具本体１の斜視図をそれぞれ示している。
なお、本実施形態における照明器具本体１は、口金を下側にして使用するタイプのＬＥＤ照明器具である。
【００４１】
この照明器具本体１の機構的な構成としては、略ソケット状の支持体２と、この支持体２の上部周縁に配置される複数の放熱体ユニット３と、この放熱体ユニット３の上部に位置して各放熱体ユニット３の上部とネジ止めして各放熱体ユニット３を固定する略リング円板状の上部支持固定板４と、放熱体ユニット３の下面側に位置して各放熱体ユニット３の下部とネジ止めして各放熱体ユニット３を固定する略リング円板状の下部支持固定板５とで構成されている。
【００４２】
次に、本照明器具本体１を構成している各部材について説明する。図８（ａ）は支持体２の平面図を、図８（ｂ）は支持体２の正面図をそれぞれ示している。この支持体２は、図５に示すように、略円筒状に形成されていて、材料としては合成樹脂である。
図５に示すように、支持体２の内部の下側には隔壁６が一体に形成されており、この隔壁６には図８（ａ）に示すように、ＡＣ電源用のコード７（図５参照）を挿通させるための挿通孔１０が２つ穿孔されている。
【００４３】
図５及び図８（ｂ）に示すように、支持体２の下部にはネジ部１１が螺刻されていて、このネジ部１１に口金１２が螺着して装着されるようになっている。また、支持体２の上部の周縁には略六角形状で一体に外側方に向けてフランジ１３が形成されている。
【００４４】
なお、フランジ１３を略六角形状としているのは、６つの各辺に放熱体ユニット３を配置するからであり、本照明器具本体１では６個の放熱体ユニット３を用いることから、フランジ１３の形状を六角形状としているものである。したがって、放熱体ユニット３を例えば、８個とした場合では、フランジ１３の形状を略八角形状とするようにしても良い。また、フランジ１３の形状は、円形にしてもよい。このフランジ１３には、放熱体ユニット３をネジ止めするためのネジ挿通用の穴１４が穿設されている。
また、支持体２の外周面には、略三角形状の補強用のリブ１５が複数一体に形成されている。
【００４５】
なお、本実施形態では、放熱体ユニット３の個数と６個としているが、支持体２や放熱体ユニット３の大きさを変えることで、放熱体ユニット３の個数は任意の数を用いることができる。
【００４６】
次に、上部支持固定板４について説明する。図９（ａ）は上部支持固定板４の平面図を、図９（ｂ）は上部支持固定板４の正面図をそれぞれ示している。図９に示すように、この上部支持固定板４は、略リング円板状で略六角形状に形成されており、中央にはネジ挿通用の穴１６が穿孔されている。また、上部支持固定板４には略三角形状の開口部１７が複数形成されている。
この開口部１７は、放熱体ユニット３の内側からの熱をトンネル効果を利用して上方へ熱を放散させるものである。また、上部支持固定板４の下面の中央には、図５に示すように、凹部２０が凹設されており、また、上部支持固定板４の下面には６個の突起２１が一体に垂設されている。
【００４７】
図１０は下部支持固定板５の平面図を示しており、このリング円板状の下部支持固定板５の上面の中央には略円筒状のボス部２２（図５参照）が一体に形成されていて、このボス部２２の底部にネジ挿通用の穴２３が上下に貫通して穿孔されている。
また、下部支持固定板５の周囲には配置する放熱体ユニット３の個数に応じてネジ挿通用の挿通孔２４がそれぞれ穿設されている。
【００４８】
次に、放熱体ユニット３を構成している放熱体３０の構成について図１１〜図１３により説明する。図１１はマグネシウムあるいはアルミ製の放熱体３０の斜視図を示し、図１２（ａ）は放熱体３０の正面図を、図１２（ｂ）は放熱体３０の平面図を、図１２（ｃ）は放熱体３０の底面図を、図１２（ｄ）は放熱体３０の側面図を、図１２（ｅ）は同図（ａ）のＡ−Ａ断面図をそれぞれ示している。また、図１３は放熱体３０の背面図を示している。
【００４９】
この放熱体３０は、背面が開口した略箱状に形成されており、両側の放熱フィンを兼ねている側板３１間には前面板３２が架橋されている。この前面板３２は、両側の側板３１の前端縁より凹んだ位置に設けられており、この前面板３２の前面に後述するＬＥＤ基板が配設されるようになっている。
前面板３２は、両側の側板３１より一段凹んだ位置に形成されていて、前面板３２を側板３１より凹ませていることで、ＬＥＤ基板の前面板３２への位置決めを容易にしている。
【００５０】
前面板３２の上部、中央部及び下部にはネジ止め用のねじ穴３３がそれぞれ螺刻されている。また、放熱体３０の背面側には、内部を空洞とし、略直方体状で背面を開口した固定部３４が一体に形成されており、図１２に示すように、この固定部３４の上片３５と下片３６にはねじ穴４０、４１がそれぞれ螺刻されている。
【００５１】
また、放熱体３０の背面側には、側板３１と略同形状の３枚の板材４２が一体に設けられていて、その両側の２枚の板材４２は固定部３４の側片と一体になっている。そして、これらの３枚の板材４２の上部は、両側の側板３１の上部と同形状に形成した放熱用の放熱フィン４３とし、両側の側板３１も同様に放熱フィン４３としている。
放熱フィン４３の背面側は、固定部３４の内部も含めて空洞となっており、空気の流れが上方向に流れ易くして放熱性を向上させている。
【００５２】
図１１及び図１２に示すように、放熱体３０の両側の側板３１の上部、中央部及び下部には切欠部４４が形成されており、また、該切欠部４４より後方の側板３１の表面には断面が略三角形状の被係止部４５が一体に突設されている。さらに、放熱体３０の底面には凸部４６が垂設されている。
【００５３】
図１４及び図１５は、放熱体３０の前面板３２の表面に配設されるＬＥＤ基板５０を示しており、図１４（ａ）はＬＥＤ基板５０の平面図を、図１４（ｂ）はＬＥＤ基板５０の正面図をそれぞれ示している。また、図１５はＬＥＤ基板５０の斜視図を示している。
【００５４】
図１４及び図１５に示すように、ＬＥＤ基板５０の長手方向に沿って所定の間隔毎に例えば、４個のＬＥＤ（発光ダイオード）５１が実装されている。なお、ＬＥＤ５１の個数は４個に限られるものではなく、任意の個数を用いることができるのはもちろんである。
ＬＥＤ基板５０の上面にはパターン５２が形成されており、４個のＬＥＤ５１を直列接続する形で該パターン５２が形成されている。
【００５５】
また、ＬＥＤ基板５０の中央と左右にはネジ挿通用の穴５３がそれぞれ穿孔されている。このＬＥＤ基板５０は、図５に示すように、ネジ５４をＬＥＤ基板５０の穴５３に挿通し、該ネジ５４を放熱体３０の前面板３２のねじ穴３３（図１１及び図１２参照）に螺着することで、ＬＥＤ基板５０が放熱体３０の前面板３２に固定される。
なお、ＬＥＤ基板５０を前面板３２にネジ５４によるネジ止めにすることで、ＬＥＤ基板５０の背面が前面板３２の表面に密着させることができ、ＬＥＤ基板５０からの放熱体３０への熱電動を向上させて、全体として放熱性を向上させている。
【００５６】
なお、図５に示すように、ＬＥＤ基板５０を装着した放熱体３０（放熱体ユニット３）を組み立てて照明器具本体１を構成した場合、各ＬＥＤ基板５０の各ＬＥＤ５１からの光は、斜め下方へ照射するようになっている。
【００５７】
次に、放熱体３０に装着され、ＬＥＤ基板５０を覆うカバー６０について図１６〜図１８により説明する。図１６はカバー６０の斜視図を示し、図１７（ａ）はカバー６０の正面図を、図１７（ｂ）はカバー６０の平面図を、図１７（ｃ）はカバー６０の側面図を、図１７（ｄ）は背面図をそれぞれ示している。また、図１８は図１７（ａ）のＡ−Ａ断面図を示している。
【００５８】
合成樹脂製のカバー６０は、板状で略長方形状に形成されていて、ＬＥＤ基板５０の各ＬＥＤ５１に対応した位置に円形の開口部６１が前後に貫通する形でそれぞれ穿設されている。
そして、各開口部６１には、該開口部６１を中心として前面側に拡開するようにして前面から見て略円形ないし略楕円状であって、断面形状では略円錐状の凹部６２がそれぞれ形成されている。なお、この凹部６２については後述する。
【００５９】
カバー６０の両側の端面の上部、中央部及び下部には位置決め用突部６３が外側方へ一体にそれぞれ突設されている。これらの位置決め用突部６３の上下方向の寸法を、放熱体３０の前面側に設けた切欠部４４（図１１参照）の上下方向の寸法より若干短くしている。そして、カバー６０の位置決め用突部６３を放熱体３０の切欠部４４に嵌め込むことで、カバー６０が放熱体３０に対して上下方向に位置決めされることになる。
【００６０】
さらに、カバー６０の各位置決め用突部６３の端縁から略Ｌ型の弾性を有する係止片６４が一体に形成されており、この係止片６４の先端には係止爪６５が一体に形成されている。この係止爪６５を放熱体３０の被係止部４５に係止することで、カバー６０が放熱体３０に装着されることになる。
このようにして、カバー６０の位置決め用突部６３と係止片６４の係止爪６５と、放熱体３０の切欠部４４及び被係止部４５によりカバー６０が放熱体３０に確実に装着させることができる。
【００６１】
なお、カバー６０を放熱体３０から外す場合には、カバー６０の係止爪６５を放熱体３０の被係止部４５から外すことで、カバー６０を放熱体３０から容易に取り外すことができる。
なお、放熱体３０、ＬＥＤ基板５０及びカバー６０とで放熱体ユニット３を構成している。
【００６２】
ここで、図１８に示すように、ＬＥＤ基板５０のＬＥＤ５１の頭部が突出する開口部６１及び該開口部６１の周囲の厚みは、開口部６１及び凹部６２を形成していない他の箇所の厚みより薄く形成されている。つまり、開口部６１の厚みをカバー６０の厚みより薄く形成している。
そのため、図５に示すように、カバー６０を放熱体３０に装着した場合、カバー６０の開口部６１からはＬＥＤ５１の頭部が少し突出しているだけであり、カバー６０の表面以上には突出しない構造としている。
【００６３】
そのため、カバー６０を放熱体３０に装着した状態で、ＬＥＤ基板５０のＬＥＤ５１自体が開口部６１を介して外部に露出していても、ＬＥＤ５１の頭部はカバー６０の表面以上には突出しないために、カバー６０の表面に手で接触したり、他の部材がカバー６０の表面に面的に接触しても、ＬＥＤ５１が破損するのを防止することができる。
【００６４】
次に、ＬＥＤ５１を露出ないし突出させているカバー６０の凹部６２について説明する。図１６〜図１８に示すように、上から１番目の凹部６２の開口縁の形状は、円形に形成されている。上から２番目の凹部６２の開口縁の形状は、該開口縁の下縁部分が下方に延びた形状となっている。
【００６５】
また、上から３番目の凹部６２の開口縁は、上から２番目の開口縁の下縁部分と比べて下縁部分がさらに下方に延びた形状となっている。さらに、一番下の凹部６２の開口縁の下縁部分は、上から３番目の凹部６２の下縁部分と比べてさらに下方に延びた楕円形状となっている。そのため、下方へのＬＥＤ５１からの直接光や反射をさせることができて、下方に照射させる照度を上げることができ、下方を一層明るく照らすことができる。
【００６６】
上下の各凹部６２の開口縁の下縁部分は、順次略楕円形状に形成し、下側の凹部６２に至るほど凹部６２の中心より下方の内壁面の面積を大きくなるようにしている。本実施形態では、カバー６０の開口部６１よりＬＥＤ５１の頭部が露出するようにしており、この凹部６２の内壁面をＬＥＤ５１からの光を反射させる反射面として利用しているものである。
これにより、ＬＥＤ５１からの光を反射させる反射面（凹部６２の内壁面）を大きくすることができ、光を効率良く反射させることができる。このように、ＬＥＤ５１からの光を凹部６２の内壁面にて効率良く反射させることができ、照明器具本体１からの光を遠くまで照射させることができたり、また、照射範囲を広げることができる。
【００６７】
また、カバー６０の材料は合成樹脂としており、ＬＥＤ５１の光を効率良く反射させるために、非透光性の白色ないし白色系でカバー６０を構成し、さらに凹部６２の内壁面は光沢のある鏡面仕上げにしている。これにより、ＬＥＤ５１からの光を凹部６２の内壁面にて効率良く反射させることができ、照明器具本体１からの光を一層遠くまで照射させることができたり、また、照射範囲を広げることができる。
【００６８】
なお、カバー６０の色彩としては、半透明の乳白色にしても良く、また、透明にしても良いが、光を効率良く反射させるためには、白色に近い色彩が好適例である。本実施形態では、色彩を白色としたカバー６０を用いている。
【００６９】
また、図１８に示すように、開口部６１の中心線ＣＬに対して凹部６２の内壁面の下部の傾斜角度は、一番上の凹部６２の傾斜角度をθ１とすると、下方の凹部６２の内壁面の傾斜角度は以下のようにしている。
すなわち、一番上の凹部６２の内壁面の傾斜角度θ１に対して、上から２番目の凹部６２の内壁面の傾斜角度θ２は、θ２＞θ１としており、また、上から３番目の凹部６２の内壁面の傾斜角度θ３は、θ３＞θ２としている。さらに、一番下の凹部６２の内壁面の傾斜角度θ４は、θ４＞θ３としている。
【００７０】
凹部６２の内壁面の傾斜角度を下方に至るほど大きくしていることで、内壁面の傾斜角度が小さい凹部６２に比べてＬＥＤ５１の光が直接下方へ照射されるので（図５参照）、照明器具本体１を設置している下方を一層明るく照らすことができる。
また、同時に凹部６２の内壁面の下部の反射面の面積を下方に至るほど大きくしているので、図１８に示す矢印イに示すようにＬＥＤ５１からの光が凹部６２の内壁面に小さな入射角で入射して同じ角度の反射角で反射するので、内壁面にて反射した光は下方へ照射されることになる。
【００７１】
このように、カバー６０の凹部６２の内壁面の下部を下方に至るほど該凹部６２の下縁部分を下方に延びる楕円形状にすることで、カバー６０の凹部６２の内壁面の中心線ＣＬに対する傾斜角度を下方に至るほど大きくすることができる。これにより、ＬＥＤ５１からの光は、直接下方を照射すると共に、凹部６２の内壁面の下部による反射光にて照射することで、照明器具本体１を設置している下方を明るく照らすことができる。
【００７２】
なお、本実施形態では、カバー６０の凹部６２の内壁面の下部を下方に至るほど該凹部６２の下縁部分を下方に延びる楕円形状にしていたが、凹部６２の左右の一方、あるいは両方を左右に延びる楕円形状にしても良い。かかる場合でも、反射面を大きくすることができで、ＬＥＤ５１からの光を左右方向に広く照射させることができる。
また、カバー６０の凹部６２の内壁面の下部を下方に至るほど大きく延びるようにしていたが、すべての凹部６２の内壁面の下部を同じ大きさの楕円形状にしても良い。
【００７３】
また、カバー６０の凹部６２の形状を円形としていたが、円形に限らず、四角形やそれ以上の多角形としても良い。
【００７４】
図１９は、放熱体３０にＬＥＤ基板５０及びカバー６０を装着する場合の図を示しており、ＬＥＤ基板５０を放熱体３０の前面板３２に配置し、ＬＥＤ基板５０の穴５３にネジ５４を挿通して、該ネジ５４を放熱体３０のねじ穴３３に螺着してＬＥＤ基板５０を放熱体３０に固定する。
【００７５】
次に、カバー６０の位置決め用突部６３を放熱体３０の切欠部４４に嵌め込むと共に、カバー６０の係止片６４の係止爪６５を放熱体３０の被係止部４５に係止することで、カバー６０が放熱体３０に装着される。
カバー６０を放熱体３０に装着した状態では、ＬＥＤ基板５０のＬＥＤ５１がカバー６０の開口部６１より少し露出した状態となる。
【００７６】
次に、照明器具本体１の組み立てについて説明する。先ず、図５に示すように、下部支持固定板５の上面のボス部２２に略円柱状のポール６６を差し込み、下部支持固定板５の下面からネジ６７を下部支持固定板５の穴２３に挿入してポール６６の下面に螺刻されているねじ穴に螺着して下部支持固定板５の上面にポール６６を立設する。
【００７７】
次に、支持体２の上面に下部支持固定板５を配置し、放熱体３０の下面の凸部４６を支持体２の上面周縁の切欠部７０（図８参照）に嵌め込む。そして、ビス７１を支持体２の穴１４及び下部支持固定板５の挿通孔２４に挿通し、放熱体３０の下面のねじ穴４１に螺着して、支持体２に放熱体３０の下部部分を固定する。
【００７８】
そして、上部支持固定板４の下面の凹部２０にポール６６の上部を差し込むと共に、上部支持固定板４の突起２１を放熱体３０のねじ穴４０にそれぞれ挿入する。次に、ネジ７２を上部支持固定板４の穴１６に挿通し、ネジ７２をポール６６の上面に螺刻したねじ穴に螺着する。これにより、放熱体３０の上部が上部支持固定板４に固定されることになる。
なお、上記放熱体３０のねじ穴４０の内径より上記上部支持固定板４の突起２１の外径を短くし、ここでは、螺着するのではなく、単に突起２１をねじ穴４０に挿入しているだけである。
【００７９】
本実施形態では、放熱体３０の前面側は平面状に形成されており、該平面状に形成されている前面板３２の前面に平板状としたＬＥＤ基板５０を配設し、該ＬＥＤ基板５０の前面側に略平板状のカバー６０を配設しているので、従来のジグザク状の放熱体やＬＥＤ基板とは異なり、形状を簡素化でき、加工に伴う時間や工程を少なくでき、結果としてコストダウンを図ることができる。
【００８０】
本実施形態の照明器具本体１は、支柱の上部に設けられているソケットに口金１２を装着し、放熱体ユニット３のＬＥＤ５１から全方位及び斜め下方に向けて光を照射するものである。
【００８１】
（第２の実施の形態）
次に、第２の実施形態について説明する。本実施形態は、図２０に示すように口金１２を上部に位置させたタイプの照明器具である。図２０は本実施形態の照明器具本体１の正面図を、図２１は照明器具本体１の側面図を、図２２は照明器具本体１の平面図を、図２３は照明器具本体１の底面図をそれぞれ示している。
また、図２４は図２０のＡ−Ａ断面図を示し、図２５は斜め上から見た照明器具本体１の斜視図を示し、図２６は斜め下から見た斜視図を示している。
【００８２】
図２４と図５を比較するとよく分かるように、放熱体ユニット３は上下を逆にはせずにそのままの状態とし、上部支持固定板４を下側に位置させ、また下部支持固定板５を上側に位置させる。照明器具本体１の組み立ては先の実施形態と同様であるので説明は省略する。
したがって、同じ部材を用いて口金１２を上側にした照明器具本体１や、口金１２を下側にした照明器具本体１を構成することができる。また、放熱体ユニット３のカバー６０の凹部６２の構成は先の実施形態と同じである。
【００８３】
放熱体３０、ＬＥＤ基板５０及びカバー６０からなる放熱体ユニット３の構成、特にカバー６０の構成は先の実施形態と同じである。
【００８４】
ここで、本実施形態では、照明器具本体１の下面、つまり上部支持固定板４（図では下側に配置されている）の下面にプリント基板７５をネジ６７にて固定し、このプリント基板７５に実装している複数のＬＥＤ５１にて照明器具本体１の真下を照射するようにしている。
これにより、口金１２を上側にした本実施形態の照明器具本体１では、先の実施形態と同様に全方位及び下方へのＬＥＤ５１からの照射はもちろん、照明器具本体１の下面に配置したＬＥＤ５１が真下に照射するので、照明器具本体１の真下を一層明るく照らすことができる。
【００８５】
また、先の両実施形態において、放熱体３０と、ＬＥＤ５１及びＬＥＤ基板５０とで放熱体ユニット３を形成し、放熱体ユニット３を複数個周設し、前記各放熱体ユニット３のＬＥＤ基板５０は斜め下方に傾斜させていることで、全方位及び下方へＬＥＤ５１からの光を満遍なく照射することができ、特に、カバー６０の凹部６２の内壁面により下方への光を一層明るく照らすことができる。
【００８６】
なお、先の両実施形態において、ＬＥＤ基板５０にカバー６０を装着しているが、ＬＥＤ５１自体は、開口部６１を介して露出しているので、まぶしく感じられる場合がある。そこで、カバー６０の上から乳白色あるいは半透明のカバーを別途放熱体ユニット３に取り付けるようにしても良い。
【００８７】
また、先の両実施形態において、放熱体ユニット３のＬＥＤ５１により発光面が斜め下方に傾斜させているが、ＬＥＤ５１（ＬＥＤ基板５０）の発光面を真横に設けるようにしても良い。カバー６０の凹部６２の開口縁の下縁を下方に延びた略楕円形状にしているので、下方へも光を照射させることができる。
【符号の説明】
【００８８】
１  照明器具本体
２  支持体
３  放熱体ユニット
３０  放熱体
３２  前面板
５０  ＬＥＤ基板
５１  ＬＥＤ
６０  カバー
６１  開口部
６２  凹部
７５  プリント基板
【図１】
2015084299.tif 000003
【図２】
2015084299.tif 000004
【図３】
2015084299.tif 000005
【図４】
2015084299.tif 000006
【図５】
2015084299.tif 000007
【図６】
2015084299.tif 000008
【図７】
2015084299.tif 000009
【図８】
2015084299.tif 000010
【図９】
2015084299.tif 000011
【図１０】
2015084299.tif 000012
【図１１】
2015084299.tif 000013
【図１２】
2015084299.tif 000014
【図１３】
2015084299.tif 000015
【図１４】
2015084299.tif 000016
【図１５】
2015084299.tif 000017
【図１６】
2015084299.tif 000018
【図１７】
2015084299.tif 000019
【図１８】
2015084299.tif 000020
【図１９】
2015084299.tif 000021
【図２０】
2015084299.tif 000022
【図２１】
2015084299.tif 000023
【図２２】
2015084299.tif 000024
【図２３】
2015084299.tif 000025
【図２４】
2015084299.tif 000026
【図２５】
2015084299.tif 000027
【図２６】
2015084299.tif 000028
【図２７】
2015084299.tif 000029
【図２８】
2015084299.tif 000030
【図２９】
2015084299.tif 000031
【図３０】
2015084299.tif 000032
【図３１】
2015084299.tif 000033
【図３２】
2015084299.tif 000034
【図３３】
2015084299.tif 000035